(57)【要約】【課題】この発明は、自動販売機が販売する商品の選択購入、販売促進、宣伝効果、注目度等を高めることができる装飾見本の提供を目的とする。【解決手段】自動販売機Ａの見本陳列部Ａａに設置される装飾見本１の見本体２の表面には、該自動販売機Ａが販売する商品の前側半分と対応する縦断半割り形状の缶型の見本部４が設けられている。また、見本体２及び/又は見本部４の表面には、該見本体２及び/又は見本部４に印刷された模様層１０の第１模様１０ａと第２模様１０ｂを立体的に現出する装飾部８が形成されている。つまり、見本体２の一端側表面に設定された密領域と、他端側表面に設定された粗領域との間で、模様密度及び色の濃度が変化するだけでなく、模様の間隔が変化するグラデーションのモアレ模様が現出される。【選択図】図２
2010211565.tif 000002
【特許請求の範囲】
【請求項１】
自動販売機の見本陳列部に設置される見本体の表面に、該自動販売機が販売する商品の前側半分と対応する縦断半割り形状の見本部を設け、
前記見本体及び/又は見本部の表面に、該見本体及び/又は見本部に印刷された模様を立体的に現出する装飾部が形成された
装飾見本。
【請求項２】
前記見本部の表面を除いて、前記見本体の表面の一部又は全体に前記装飾部が形成された
請求項１に記載の装飾見本。
【請求項３】
前記見本体の表面を除いて、前記見本部の表面の一部又は全体に前記装飾部が形成された
請求項１に記載の装飾見本。
【請求項４】
前記見本部の周辺に当たる前記見本体の表面に前記装飾部が形成された
請求項１〜３のいずれか一つに記載の装飾見本。
【請求項５】
前記装飾部は、
前記見本体及び/又は見本部の表面にドット状の模様を付設し、
前記模様の上に、透光性を有するドット状の凸レンズを付設し、
前記模様及び/又は凸レンズが、前記装飾部の一端側に設定された密領域から、該装飾部の他端側に設定された粗領域に向けて徐々に粗状態となるように配列してなる
請求項１〜４のいずれか一つに記載の装飾見本。
【請求項６】
前記装飾部は、
前記透明な見本体及び/又は見本部の裏面にドット状の模様を付設し、
前記見本体及び/又は見本部の表面に、透光性を有するドット状の凸レンズを付設し、
前記模様及び/又は凸レンズが、前記装飾部の一端側に設定された密領域から、該装飾部の他端側に設定された粗領域に向けて徐々に粗状態となるように配列してなる
請求項１〜４のいずれか一つに記載の装飾見本。
【発明の詳細な説明】
【技術分野】
【０００１】
この発明は、例えば自動販売機が販売する商品の選択購入、販売促進、宣伝広告、注目度等を高めるために用いられる装飾見本に関する。
【背景技術】
【０００２】
従来、前記商品の見本を陳列する商品見本体としては、例えば自動販売機の装着台に取り付けられる本体の表面に、半割状の商品見本部と宣伝広告表示部を備えた特許文献１の自動販売機用商品見本体がある。
【０００３】
しかし、本体及び商品見本部の表面には、商品と対応する表示内容或いは販売を促進する宣伝広告が印刷されているだけであり、他の商品見本より目立つような工夫がなされていない。そこで、特定の商品と対応する商品見本に、例えば販売促進用のラベルやシール等を取り付けて目立つように陳列していたが、平面的な視覚効果しか得られないため、購入者の注目を引くことが難しい。
【先行技術文献】
【特許文献】
【０００４】
【特許文献１】特開２００６−２０９３０７
【発明の概要】
【発明が解決しようとする課題】
【０００５】
この発明は、自動販売機が販売する商品の選択購入、販売促進、宣伝効果、注目度等を高めることができる装飾見本を提供することを目的とする。
【課題を解決するための手段】
【０００６】
この発明は、自動販売機の見本陳列部に設置される見本体の表面に、該自動販売機が販売する商品の前側半分と対応する縦断半割り形状の見本部を設け、前記見本体及び/又は見本部の表面に、該見本体及び/又は見本部に印刷された模様を立体的に現出する装飾部が形成された装飾見本であることを特徴とする。
【０００７】
この発明の態様として、前記見本部の表面を除いて、前記見本体の表面の一部又は全体に前記装飾部が形成することができる。
【０００８】
また、この発明の態様として、前記見本体の表面を除いて、前記見本部の表面の一部又は全体に前記装飾部が形成することができる。
【０００９】
また、この発明の態様として、前記見本部の周辺に当たる前記見本体の表面に前記装飾部が形成することができる。
【００１０】
また、この発明の態様として、前記装飾部は、前記見本体及び/又は見本部の表面にドット状の模様を付設し、前記模様の上に、透光性を有するドット状の凸レンズを付設し、前記模様及び/又は凸レンズが、前記装飾部の一端側に設定された密領域から、該装飾部の他端側に設定された粗領域に向けて徐々に粗状態となるように配列して構成することができる。
【００１１】
また、この発明の態様として、前記装飾部は、前記透明な見本体及び/又は見本部の裏面にドット状の模様を付設し、前記見本体及び/又は見本部の表面に、透光性を有するドット状の凸レンズを付設し、前記模様及び/又は凸レンズが、前記装飾部の一端側に設定された密領域から、該装飾部の他端側に設定された粗領域に向けて徐々に粗状態となるように配列して構成することができる。
【００１２】
前記装飾見本は、例えば真空成形、加圧成形、ブロー成形、押出し成形等の成形方法で成形することができる。また、見本体及び見本部は、例えばポリアセタール、ポリプロピレン、ポリエチレン、ポリエステル、ポリカーボネード、アクリル等の透光性を有する合成樹脂、或いは、透明な合成樹脂や着色された半透明な合成樹脂で構成することができる。
【００１３】
また、見本部は、自動販売機が販売する商品の一例として、例えば缶型、瓶型、ボトル型、箱型等の商品と酷似する外観及び意匠に形成された縦断半割り形状の見本で構成することができる。
【００１４】
また、装飾部は、例えば鏡面層、模様層、レンズ層等で構成することができる。鏡面層は、例えば乾燥した際に表面が鏡面となるか、乾燥した際に光沢が出るようなインク或いは塗料で構成することができる。また、インクや塗料の代わりに、例えばアルミニウム、その他の金属等を塗布又は蒸着するなどして形成してもよい。また、アルミ箔等の鏡面性を有する金属箔を貼着するか、装飾部の表面をメッキ処理、蒸着処理、鏡面加工する等してもよい。
【００１５】
模様層は、例えばドット状の網点、直線や曲線を含む縞線等の単一模様パターン、或いは、網点、縞線を組み合わせてなる複合模様パターンで構成することができる。また、模様パターンは、例えば絵柄、図柄、図形、文字、記号等を含む各種模様、或いは、ドット模様、星模様、花模様、リング模様、格子模様、桝目模様、ストライプ模様等の様々な模様で構成することができる。
【００１６】
また、模様の色は、例えば黒色、白色、赤色、黄色、青色、緑色等で構成することができる。また、網点は、例えば正方形、矩形、三角形、五角形、楕円形、菱形、星形、ハート形、花形、雲形等で構成することができる。また、模様の印刷方法としては、例えばスクリーン印刷、オフセット印刷、グラビア印刷、活版印刷等を用いることができる。
【００１７】
また、レンズ層は、例えば側面から見て半球形状、三角形状、円弧形状、楕円形状、台形状等の断面形状を有する透明な熱硬化性樹脂で形成されたレンズで構成することができる。
【発明の効果】
【００１８】
この発明によれば、装飾見本の見本体及び/又は見本部に、該見本体及び/又は見本部に印刷された模様を立体的に現出する装飾部が形成されているので、自動販売機の見本陳列部に陳列された他の見本に比べて、装飾部が形成された見本体及び/又は見本部の方が目立つことになる。これにより、注目度の高い商品が積極的に選択及び購入されやすく、商品の販売促進、売上向上を図ることができる。
【図面の簡単な説明】
【００１９】
【図１】装飾見本が設置された自動販売機を示す正面図。
【図２】３個の見本部を備えた装飾見本を示す斜視図。
【図３】装飾見本に形成された装飾部及び設置構造を示す正面図。
【図４】装飾見本の設置状態を示す中央縦断側面図。
【図５】装飾部の積層構造を示す縦断側面図。
【図６】図５の装飾部を正面から見た状態を示す拡大正面図。
【図７】装飾部の積層構造の他の例を示す縦断側面図。
【図８】図７の装飾部を正面から見た状態を示す拡大正面図。
【図９】見本部に装飾部が形成された装飾見本の他の例を示す正面図。
【図１０】見本体の裏面に鏡面層及び模様層が形成された装飾見本を示す縦断側面図。
【図１１】見本部と矩形表示部を備えた装飾見本の他の例を示す斜視図。
【図１２】図１１の見本体に形成された装飾部を示す正面図。
【図１３】図１１の装飾見本の設置状態を示す見本部側縦断側面図。
【図１４】見本部が着脱される装飾見本の他の例を示す斜視図。
【図１５】見本部が着脱される装飾見本のその他の例を示す斜視図。
【図１６】三角形状の凸レンズを備えた装飾部の積層構造を示す縦断側面図。
【発明を実施するための形態】
【実施例】
【００２０】
図１は、装飾見本１が設置された自動販売機Ａを示す正面図、図２は、３個の見本部４を備えた装飾見本１を示す斜視図、図３は、装飾見本１に形成された装飾部８及び設置構造を示す正面図、図４は、装飾見本１の設置状態を示す縦断側面図である。
【００２１】
本発明の装飾見本１は、自動販売機Ａの前面に設けた見本陳列部Ａａ内に設置され、該自動販売機Ａが販売する商品の選択購入、販売促進、宣伝効果、注目度等を高める際に用いられるものである。
【００２２】
第１実施例の装飾見本１は、見本体２の表面に形成された缶型を有する３個の見本部４の表面を除いて、該見本部４の周辺に当たる見本体２の表面に後述する装飾部８が形成された幅広型見本の一例を示すものである（図３参照）。
【００２３】
見本体２は、陳列パネルＡｂ上に設置される３個の見本Ｂを並列配置してなる横幅より幅広に形成され、該陳列パネルＡｂ上に設置が許容される奥行及び高さに形成されている。また、見本体２の表面には、自然の風景を模した山形の張出し部３が見本体２の表面より前方へ張り出した状態に形成されている（図４参照）。
【００２４】
張出し部３の中央表面には、自動販売機Ａが販売する缶型の商品と酷似する外観及び意匠に形成された縦断半割り形状の見本部４が３個配列されている。また、見本部４は、張出し部３の表面より前方へ張り出した状態に形成されている。
【００２５】
張出し部３の下部表面には、該見本体２と同一幅の台座部５が幅方向に形成されている。また、台座部５は、陳列パネルＡｂ上に設置が許容される前後幅に形成され、見本部４の表面より前方へ張り出した状態に形成されている。
【００２６】
なお、前記見本体２の張出し部３、見本部４、台座部５は、商品に関連する表示内容が印刷された透光性を有する合成樹脂製シートを、図示しない真空成形装置によって図１に示す装飾見本１に真空成形する際に形成される。
【００２７】
また、合成樹脂としては、例えばポリアセタール、ポリプロピレン、ポリエチレン、ポリエステル、ポリカーボネード、アクリル等から選択した一つ又は複数の合成樹脂を用いることができる。
【００２８】
見本体２の中央表面には、縦断半割り形状の缶型を有する見本部４が縦向きに配置されている。また、見本体２の左右表面には、中央表面の見本部４を基準として、一対の見本部４が正面から見て左右均等に傾いた状態に配置されている。これにより、３個の見本部４が正面から見て扇状に連なるように配列されている。
【００２９】
見本部４の表面には、自動販売機Ａが販売する缶型の商品と対応する表示内容（例えば商標、文字、模様、図柄、色彩等）が印刷されている。また、表示内容を印刷する代わりに、表示内容が印刷された表示ラベルを貼着してもよい。
【００３０】
前記台座部５の中央下面には、図３、図４に示すように、陳列パネルＡｂの陳列面に開口された平面視丸形状の開口部Ａｃに対し係合される横断面視半円形状の第１挿入部６が形成されている。また、第１挿入部６を中心とする台座部５の左右下面には、第１挿入部６が係合される開口部Ａｃの左右に開口された開口部Ａｃに対し係合される横断面視台形状の第２挿入部７が形成されている。
【００３１】
第１挿入部６の下端部外周面には、開口部Ａｃの下面側周縁部に係止される凸状の鍔部６ａが周方向に連続して形成されている。また、鍔部６ａより上方の外周面には、開口部Ａｃの前側周縁部が係止される凹状の溝部６ｂが周方向に連続して形成されている。
【００３２】
第１挿入部６の前側外周面には、開口部Ａｃの前側周縁部に形成された凹状の切欠き部Ａｄに係止される凸状の突起６ｃが形成されている。また、第１挿入部６の両側外周面には、開口部Ａｃの両側周縁部に形成された凹状の切欠き部Ａｅに係止される凸状の突起６ｄが形成されている。
【００３３】
つまり、見本体２の第１挿入部６を陳列パネルＡｂの開口部Ａｃに上方から挿入し、左右の第２挿入部７を左右の開口部Ａｃにそれぞれ挿入する。また、第１挿入部６の鍔部６ａを開口部Ａｃの周縁部に係止し、第１挿入部６の溝部６ｂを開口部Ａｃの周縁部に係止して抜止めする。また、第１挿入部６の突起６ｃ，６ｄと開口部Ａｃの切欠き部Ａｄ，Ａｅを合致して位置決めする。これにより、装飾見本１が、見本陳列部Ａａ内の陳列パネルＡｂの上面に対し略鉛直に起立した状態に設置固定される。
【００３４】
図５は、装飾部８の積層構造を示す縦断側面図、図６は、図５の装飾部８を正面から見た状態を示す拡大正面図である。  
前記装飾部８は、見本部４の周辺に当たる見本体２の表面に形成され、商品の注目度を高めるとともに、販売促進するような表示内容に施されている。また、中央及び左右に配置された見本部４の下部表面の一部にも形成されている。  
実施例では自然の風景を模した山形に施されているが、例えば商標、文字、模様、図柄等の表示内容を施すか、キャッチコピー、メッセージなどの宣伝広告文、或いは、茶葉、茶畑、花、樹木等の植物、或いは、空や海、山、川等の自然、或いは、犬や猫、鳥等の動物等の表示内容を施してもよい。
【００３５】
装飾部８は、見本体２の表面に印刷された鏡面層９と、該鏡面層９の上に印刷されたドット状の模様層１０と、該模様層１０の上に印刷されたドット状のレンズ層１１とで構成されている。
【００３６】
鏡面層９は、見本部４の周辺に当たる見本体２の表面に、乾燥した際に表面が鏡面となる銀色のインクをスクリーン印刷して形成されている。また、鏡面層９の表面には、該鏡面層９の上に印刷された模様層１０の印刷パターンを写り込ませるための鏡面が形成される。
【００３７】
これにより、鏡面層９の上に印刷された模様層１０の印刷パターンが、該模様層１０の下に印刷された鏡面層９の鏡面に写り込むことになる。なお、インクの代わりに、例えばアルミニウム、その他の金属等を塗布又は蒸着するなどして形成してもよい。
【００３８】
模様層１０は、見本体２の表面に、異なる色の熱硬化性インクからなるドット状の第１模様１０ａ及び第２模様１０ｂをスクリーン印刷して形成されている。
【００３９】
第１模様１０ａは、鏡面層９の上にスクリーン印刷され、第２模様１０ｂは、第１模様１０ａの上にスクリーン印刷されている。
【００４０】
第１模様１０ａ及び第２模様１０ｂは、異なる色の熱硬化性インクを用いて表面から見て略丸形状に印刷され、見本体２の一端側表面（図５、図６の左側）に設定された密領域から、他端側表面（図５、図６の右側）に設定された粗領域に向けて徐々に粗状態となるパターンに配列されている。
【００４１】
第１模様１０ａ及び第２模様１０ｂのパターンはモアレ模様が現出する角度θ１に変位（又は交差）されている。また、後述する凸レンズ１１ａのパターンは第１模様１０ａのパターンに対しモアレ模様が現出する角度θ２に変位（又は交差）されている。
【００４２】
つまり、第１模様１０ａ及び第２模様１０ｂ及び凸レンズ１１ａの位置関係を水平方向に変位させるとともに、密領域から粗領域に向けて徐々に粗状態となるようなグラデーションに配列することにより、密領域から粗領域に向けて徐々に模様密度及び色の濃度が薄くなるグラデーション付きのモアレ模様が現出される。なお、角度θ１，θ２を、実施例より鋭角度に変更するか、鈍角度に変更してもよい。
【００４３】
第１模様１０ａは、鏡面層９の表面に沿って所定のピッチ間隔Ｐ１で連続して形成されている。また、第２模様１０ｂは、鏡面層９を含む第１模様１０ａの表面に沿って所定のピッチ間隔Ｐ２で連続して形成されている。
【００４４】
第１模様１０ａ及び第２模様１０ｂの外径は、密領域から粗領域に向けて徐々に外径が小さくなるように印刷されている。また、第１模様１０ａ及び第２模様１０ｂの間隔Ｗａ，Ｗｂ，Ｗｃは、密領域から粗領域に向けて徐々に広くなるように設定されている。
【００４５】
レンズ層１１は、鏡面層９を含む模様層１０の表面に、透明な熱硬化性樹脂からなるドット状の凸レンズ１１ａをスクリーン印刷して形成されている。
【００４６】
凸レンズ１１ａは、側面から見て略半球形状の断面形状に形成され、鏡面層９を含む模様層１０の表面に沿って所定のピッチ間隔Ｐ３で連続して形成されている。
【００４７】
凸レンズ１１ａの外径は、密領域から粗領域に向けて徐々に外径が小さくなるように形成されている。また、凸レンズ１１ａ…の間隔Ｗａ，Ｗｂ，Ｗｃは、密領域から粗領域に向けて徐々に広くなるように設定されている。また、凸レンズ１１ａの高さＨａ，Ｈｂ，Ｈｃは、密領域から粗領域に向けて徐々に低くなるように設定されている。  
これにより、凸レンズ１１ａは、見本体２の表面から見て密領域から粗領域に向けて徐々に間隔が広くなるような状態に配列されている。
【００４８】
また、凸レンズ１１ａは、見本体２の一端側表面（図５、図６の左側）に設定された密領域から、見本体２の他端側表面（図５、図６の右側）に設定された粗領域に向けて徐々に粗状態となるように配列されている。
【００４９】
つまり、凸レンズ１１ａは、密領域から粗領域に向けて徐々に外径が小さくなる順に配列され、該密領域から粗領域に向けて徐々に間隔が広くなるように配列されている。これにより、密領域に向かうほど、凸レンズ１１ａの外径が大きくなり、間隔が狭くなる。また、粗領域に向かうほど、凸レンズ１１ａの外径が小さくなり、間隔が広くなる。
【００５０】
実施例では、模様層１０の模様１０ａ，１０ｂ及び凸レンズ１１ａは、略同等又は略同一の大きさに形成しているが、何れか一つ又は複数を異なる大きさに形成してもよい。
【００５１】
見本体２の表面に形成された装飾部８を正面或いは斜め方向から目視すれば、模様層１０の印刷パターンの間から、鏡面層９の鏡面に写り込ませた模様層１０の印刷パターンが見え隠れするだけでなく、印刷パターンがズレて見えることになる。
【００５２】
また、模様層１０の印刷パターンは、装飾部８の一端側に設定された密領域から、他端側に設定された粗領域に向けて徐々に粗状態となるパターンに配列されている。
【００５３】
図示実施例は上記の如く構成するものにして、以下、本発明の装飾見本１を自動販売機Ａの見本陳列部Ａａに設置した例を説明する。
【００５４】
先ず、見本陳列部Ａａに設置された装飾見本１を正面から目視した際に、図６に示すように、凸レンズ１１ａと模様１０ａ，１０ｂとが略完全に重なり合った部分では、左右上下の何れの方向から見ても模様１０ａ，１０ｂの略全体を認識することができる。
【００５５】
また、凸レンズ１１ａと、模様１０ａ，１０ｂの一方又は両方とが略半径分変位（略１／２）した状態に重なり合った部分では、右斜め方向から見たとき模様１０ａ，１０ｂの一方又は両方を認識することができない。しかし、左斜め方向から見たとき模様１０ａ，１０ｂの一方又は両方の略半分を認識することができるので、見る方向によって模様１０ａ，１０ｂの一方又は両方が視認可能であったり、視認不可能であったりすることがある。
【００５６】
また、凸レンズ１１ａと、模様１０ａ，１０ｂの一方又は両方とが略完全に重なり合った部分から遠く離れた部分では、右斜め方向から見たとき模様１０ａ，１０ｂの一方又は両方を認識することが不可能である。しかし、左斜め方向から見たとき模様１０ａ，１０ｂの一方又は両方の一部だけしか認識することができず、装飾見本１を正面から見たとき、その見る方向及び角度によって凸レンズ１１ａ及び模様１０ａ，１０ｂが織り成すモアレ模様が立体的に変化する。
【００５７】
さらに、凸レンズ１１ａ及び模様１０ａ，１０ｂを、密領域から粗領域に向けて徐々に粗状態となるように配列し、凸レンズ１１ａ及び模様１０ａ，１０ｂのパターンをモアレ模様が現出する角度θ１，θ２に変位及び交差している。
【００５８】
これにより、見本体２の一端側表面（図２、図３の下側）に設定された密領域と、他端側表面（図２、図３の上側）に設定された粗領域との間で、凸レンズ１１ａ及び模様１０ａ，１０ｂが織り成すモアレ模様の模様密度及び色の濃度が変化するだけでなく、密領域から粗領域に向けて斑点状の模様間隔が徐々に広くなり、徐々に薄く且つ大きくなるようなグラデーションのモアレ模様が現出される。
【００５９】
以上のように、装飾見本１の見本体２に形成された缶型の見本部４の表面を除いて、該見本部４の周辺に当たる見本体２の表面に装飾部８を形成しているので、自動販売機Ａの見本陳列部Ａａに陳列された他の見本Ｂに比べて、装飾部８が周辺に形成された見本部４の方が目立つことになる。これにより、注目度の高い商品が積極的に選択及び購入されやすく、商品の販売促進、売上向上を図ることができる。
【００６０】
図７は、装飾部８の積層構造の他の例を示す縦断側面図、図８は、図７の装飾部８を正面から見た状態を示す拡大正面図である。  
つまり、見本部４の周辺に当たる見本体２の表面に装飾部８の鏡面層９が形成され、該鏡面層９の上に模様層１０の第１模様１０ａが形成されている。
【００６１】
これにより、見本部４の周辺に当たる見本体２の表面に形成された装飾部８がグラデーションのモアレ模様を現出するので、前記実施例と略同等の作用及び効果を奏することができる。
【００６２】
図９は、見本部４の表面に装飾部８が形成された装飾見本１の他の例を示す正面図である。  
本例の装飾見本１は、見本体２の表面を除いて、３個の見本部４の表面に装飾部８が形成されている。実施例にて装飾部８は、中央に配置された見本部４の上端表面及び下部表面と、左右に配置された見本部４の上部表面及び下部表面の一部に形成されている。
【００６３】
つまり、見本陳列部Ａａに陳列された装飾見本１の見本部４を見て購入する商品を選択する際に、見本陳列部Ａａに陳列された他の見本Ｂに比べて、装飾部８が表面に形成された見本部４の方が目立つことになる。
【００６４】
これにより、注目度の高い商品が積極的に選択及び購入されやすく、商品の販売促進、売上向上を図ることができる。且つ、前記第１実施例と略同等の作用及び効果を奏することができる。
【００６５】
なお、一つ又は二つの見本部４の表面に装飾部８を形成してもよい。また、見本体２及び見本部４の表面に装飾部８を形成してもよい。
【００６６】
以上のように、自動販売機Ａが販売する商品と対応する装飾見本１が目立ちやすく、装飾見本１が前方に飛び出してくるか、浮き上がってくるような立体感を購入者に対して与えることができ、高い注目度が得られる。
【００６７】
図１０は、見本部４の周辺に当たる見本体２の裏面に鏡面層９及び模様層１０を形成し、該見本部４の周辺に当たる見本体２の表面にレンズ層１１を形成した装飾見本１の装飾部８を示す縦断側面図である。
【００６８】
本例の装飾見本１は、透明な合成樹脂で形成された見本体２を透して、見本体２の裏面に印刷された模様層１０の印刷パターンがレンズ層１１の凸レンズ１１ａによって偏光される。これにより、見本体２に形成された装飾部８がグラデーションのモアレ模様を現出するので、前記実施例と略同等の作用及び効果を奏することができる。
【００６９】
図１１は、見本部４と矩形見本４ａを備えた装飾見本１の他の例を示す斜視図、図１２は、図１１の見本体２に形成された装飾部８を示す正面図、図１３は、図１１の装飾見本１の設置状態を示す縦断側面図である。
【００７０】
本例の装飾見本１は、正面から見て見本体２の右側表面に縦断半割り形状の見本部４が形成され、該見本体２の左側表面に縦長形状の矩形見本４ａが形成されている。また、見本部４及び矩形見本４ａの表面を除く、見本部４の周辺に当たる見本体２の表面に装飾部８が形成されている。また、装飾部８は、見本部４及び矩形見本４ａの一部表面にも形成されている。
【００７１】
つまり、見本陳列部Ａａに陳列された装飾見本１の見本部４を見て購入する商品を選択する際に、見本陳列部Ａａに陳列された他の見本Ｂに比べて、装飾部８が周辺に形成された見本部４の方が目立ちやすい。
【００７２】
また、見本体２の表面を除く、見本部４及び/又は矩形見本４ａの少なくとも一方の表面に装飾部８を形成すれば、見本陳列部Ａａに陳列された他の見本Ｂに比べて、装飾部８が形成された見本部４及び/又は矩形見本４ａの方が目立ちやすい。
【００７３】
これにより、注目度の高い商品が積極的に選択及び購入されやすくなり、商品の販売促進、売上向上を図ることができる。且つ、前記第１実施例と略同等の作用及び効果を奏することができる。なお、見本体２及び見本部４及び矩形見本４ａの表面に装飾部８を形成してもよい。
【００７４】
図１４は、見本体２の表面に形成された開口部２ａに、縦断半割り形状の見本部４が着脱自在に取り付けられる装飾見本１の他の例を示す斜視図である。  
本例の装飾見本１は、開口部２ａの両側縁部に形成された係止溝２ｂ，２ｂに、見本部４の両側縁部に形成された係止片４ｂ，４ｂを係止して、見本体２の開口部２ａに対し見本部４を取り付ける。
【００７５】
つまり、開口部２ａの周辺に装飾部８を形成しておけば、前記第１実施例と略同等の作用及び効果を奏することができる。なお、見本部４の表面に装飾部８を形成してもよく、現出される模様の変更が容易に行える。また、見本部４は、見本体２の後側から開口部２ａに取り付けることができる。
【００７６】
図１５は、見本体２の表面に形成された膨出部１２の見本固定部１３に、縦断半割り形状の見本部４が着脱自在に装着される装飾見本１の他の例を示す斜視図である。  
本例の装飾見本１は、見本固定部１３の両側外面部に形成された溝部１３ａ，１３ａに、見本部４の両側内縁部に形成された突起１４，１４を係止して、見本体２の見本固定部１３に対し見本部４を取り付ける。
【００７７】
つまり、膨出部１２の周辺に装飾部８を形成しておけば、前記第１実施例と略同等の作用及び効果を奏することができる。なお、見本部４の表面に装飾部８を形成してもよく、現出される模様の変更が容易に行える。
【００７８】
図１６は、見本体２の表面に印刷されたレンズ層１１が、側面から見て三角形状の凸レンズ１１ａからなるレンチキュラレンズで構成された装飾見本１の装飾部８を示す縦断側面図である。
【００７９】
本例の装飾見本１は、レンズ層１１の凸レンズ１１ａが略同一の高さＨａ，Ｈｂ，Ｈｃ及び大きさに形成されている。また、凸レンズ１１ａの間隔Ｗａ，Ｗｂ，Ｗｃが密領域から粗領域に向けて徐々に間隔が広くなるように設定されている。
【００８０】
また、見本体２の裏面に印刷された模様層１０は、凸レンズ１１ａの右斜め上方から見える第３模様１０ｃと、左斜め上方から見える第４模様１０ｄとで構成されている。
【００８１】
つまり、透明な合成樹脂で形成された見本体２を透して、見本体２の裏面に印刷された模様層１０の第３模様１０ｃ及び第４模様１０ｄがレンズ層１１の凸レンズ１１ａによって偏光される。また、凸レンズ１１ａの右斜め上方からは第３模様１０ｃが見え、左斜め上方からは第４模様１０ｄが見えるので、見る方向及び角度によって現出されるモアレ模様が立体的に変化する。
【００８２】
これにより、第３模様１０ｃ及び第４模様１０ｄからなる商品の表示内容が変化するか、表示内容が動いているような動的変化を立体的に現出することができる。また、密領域から粗領域に向けて徐々に模様密度及び色の濃度が薄くなるようなグラデーションのモアレ模様が現出されるので、前記実施例と略同等の作用及び効果を奏することができる。
【００８３】
この発明の構成と、前記実施形態との対応において、  
この発明の模様は、実施例の第１模様１０ａと、第２模様１０ｂと、第３模様１０ｃと、第４模様１０ｄに対応するも、  
この発明は、上述の実施形態の構成のみに限定されるものではなく、請求項に示される技術思想に基づいて応用することができ、多くの実施の形態を得ることができる。
【００８４】
前記第１実施例では、見本体２の表面に、同一の大きさ及び形状に形成された見本部４を３個配列しているが、例えば異なる大きさ及び形状に形成された缶型、瓶型、ボトル型の見本を複数配列してもよく、実施例の見本部４及び配列数に限定されるものではない。
また、見本体２及び見本部４に印刷される表示内容（例えば模様、図柄、文字、色彩等）は、販売される商品の種類や用途、目的等に応じて変更することができる。
【００８５】
また、前記装飾見本１を陳列パネルＡｂ上に設置固定する他の固定方法として、例えば両面粘着テープ、面ファスナー、マグネット、接着剤、ネジ等の固定手段で固定してもよい。また、見本体２を、前記陳列パネルＡｂの後側上面に立設された壁部パネルに上記固定方法で固定してもよい。  
また、本発明の装飾見本１の構成は、一つの見本部４より幅広で、二つの見本部４より幅狭に形成された見本体２にも適用することができる。
【符号の説明】
【００８６】
Ａ…自動販売機
Ａａ…見本陳列部
Ａｂ…陳列パネル
Ａｃ…開口部
１…装飾見本
２…見本体
２ａ…開口部
３…張出し部
４…見本部
４ａ…矩形見本
５…台座部
６…第１挿入部
７…第２挿入部
８…装飾部
９…鏡面層
１０…模様層
１０ａ…第１模様
１０ｂ…第２模様
１０ｃ…第３模様
１０ｄ…第４模様
１１…レンズ層
１１ａ…凸レンズ
１２…膨出部
１３…見本固定部
【図１】
2010211565.tif 000003
【図２】
2010211565.tif 000004
【図３】
2010211565.tif 000005
【図４】
2010211565.tif 000006
【図５】
2010211565.tif 000007
【図６】
2010211565.tif 000008
【図７】
2010211565.tif 000009
【図８】
2010211565.tif 000010
【図９】
2010211565.tif 000011
【図１０】
2010211565.tif 000012
【図１１】
2010211565.tif 000013
【図１２】
2010211565.tif 000014
【図１３】
2010211565.tif 000015
【図１４】
2010211565.tif 000016
【図１５】
2010211565.tif 000017
【図１６】
2010211565.tif 000018